(57)【要約】      （修正有）【課題】ゴルフバッグの内部に収納されて、ゴルフクラブが交錯して取りにくくならないように、またゴルフクラブの柄及び取っ手が摩擦によって損害されないような収納構造を提供する。【解決手段】上環１０と、下環２０と、複数の支持棚３０と、複数の管体４０とからなる。上環は複数の貫通孔１１を設けて、下環は複数の凸柱２１を設けて、各凸柱は上環の貫通孔に対応して、その支持棚３０の両端では、それぞれ上環及び下環の側縁に固定されて、上環及び下環を適当な距離に保持させる。各管体は中空状で、管体の上端は上環の貫通孔の下端に対応して、貫通孔の中心に位置合わせて、下端は下環の凸柱の外縁に固定されて、管の巣になる。【選択図】図２
0003119137.tif 000002
【実用新案登録請求の範囲】
【請求項１】
ゴルフバッグの内部に収納構造を設けているゴルフバッグの収納において、前記収納構造は、貫通孔を複数設ける上環と、段差がある凸柱を複数設ける下環と、その両端はそれぞれ上環と下環の側縁に固定する複数の支持棚と、それぞれ上環及び下環の間に設けてかつ貫通孔及び凸柱を同一な中心に保持している複数の中空状管体とを含めていることを特徴とするゴルフバッグ。
【請求項２】
前記支持棚の上、下の両端はそれぞれ上環及び下環の側壁所へ延ばす挿入フックを設けて、上環及び下環の側壁の上に、挿入フックを挿入するための挿入孔を設けていることを特徴とする請求項1に記載のゴルフバッグ。
【請求項３】
前記下環の側壁の上に更に弾性に富む変形且つ側壁の外部に突出する弾性部材を設けることを特徴とする請求項１に記載のゴルフバッグ。
【請求項４】
前記上環の各貫通孔の中に更に弾性に富むC形クランプ環を設けて、且つC形クランプ環の中央にクランパ孔を設けるものであることを特徴とする請求項１に記載のゴルフバッグ。
【請求項５】
前記クランパ孔は前記C形クランパ環へ段々に開口状のガイド孔を設けるものであることを特徴とする請求項4に記載のゴルフバッグ。
【請求項６】
前記管体の上端は上環の貫通孔の下端に対応して、貫通孔の中心に位置合わせて、前記管体の下端は下環の凸柱の外縁に固定されていることを特徴とする請求項1に記載のゴルフバッグ。
【請求項７】
前記管体の外部は固定環を固定することによって且つ各支持棚と互いにクランプさせて、管体の軸心は貫通孔及び凸柱と同一な中心に保持させていることを特徴とする請求項1に記載のゴルフバッグ。
【考案の詳細な説明】
【技術分野】
【０００１】
本考案はゴルフバッグと関連するゴルフバッグの収納構造の設計に関し、特にゴルフバッグの内部に収納されて、数十のゴルフクラブをゴルフバッグの内部に交錯して取りにくいしないように、またゴルフクラブの柄及び取っ手は互いに摩擦によって損害されて、ゴルフクラブのヘッドはゴルフバッグの入口に互いに衝突しないような収納構造のもので、同時にショットする時、ゴルフクラブを識別し易いし、ゴルフクラブを使用する場合には、ゴルフバッグからゴルフクラブを取り出すこと又はゴルフバッグへ戻すことがし易いことに関するものである。
【背景技術】
【０００２】
生活のレベルアップに伴って、運動レジャーも現在社会のうちに心身を調節する重要な主軸の一つになっている。ところで、運動レジャーの内に、ゴルフは運動及び健康身体の効果を最も兼備している。
【０００３】
ゴルフは運動の過程中に、ゴルフボールをショットする他には、広い草原の中に歩いて、そして、年をとった人又は仕事の圧力が比較的に大きいサラリーメンに対して、ゴルフボールをショットすることによって心身に受けられ圧力を釈放させる外にも、歩くの動作を介して心身を調節する。したがって、ゴルフは今まで既に人気がある運動の一つになっている。
【０００４】
ゴルフの運動中、ゴルフボールが必要なものの外には、最も重要な一つ利器はゴルフクラブで、ゴルフクラブはショットする技巧によって多種な異なるゴルフクラブを分けらている。したっがて、ゴルフの運動が好きな人は大抵数十のショットする技巧によって多種な異なるゴルフクラブを装備している。各ゴルフクラブの単価が高いので、ゴルフクラブを保護することが非常に重要のことになっている。
【０００５】
一般に、ゴルフの運動を行なう時、同時に数十のショットする技巧によって多種な異なるゴルフクラブを携帯して、そして、これらゴルフクラブをゴルフバッグのうちに集めて、歩く時の背負及び運搬に便利する。
【０００６】
但し、従来のゴルフバッグはゴルフクラブを収納する時それぞれのゴルフクラブを同様なゴルフバッグの中に収納して、そうすると、ゴルフクラブの柄及びゴルフクラブのヘッドは歩き及び運搬の過程中、衝突を発生することによって、ゴルフクラブの柄及びゴルフクラブのヘッドの損害を引く、ゴルフの運動が好きな人は心配してお金を多く掛かります。
【０００７】
上記の考えに基づいて、業者が広いゴルフの運動人口を吸引するために、ゴルフバッグの内部の上端に挿入孔を複数設けて、それぞれのゴルフクラブを挿入孔に挿入させて、ゴルフクラブの柄の衝突を減少しているが、その構造は歩きの動作によってゴルフクラブが挿入孔から揺れて、それぞれのゴルフクラブの柄及びゴルフバッグの内部及び入口が衝突を発生させて、その問題を徹底に解決できない。
【考案の開示】
【考案が解決しようとする課題】
【０００８】
この考案はゴルフクラブの柄の衝突を減少しているし、ゴルフクラブの保護作用を有し、特に使用する場合、各ゴルフクラブの識別をし易いし、ゴルフバッグから各ゴルフクラブを取り出すこと及びゴルフバッグへ戻すことは非常に便利であることをを課題とする。
【課題を解決するための手段】
【０００９】
本考案はこのような事情に鑑みてなされたものであって、本考案の「ゴルフバッグの収納構造」は、主にゴルフバッグの内部に内袋構造を設けて、その内袋構造は、上環と、下環と、上環と下環とを接続する複数の支持棚と、上環及び下環の間に設ける複数の中空状管体から構成する。上環は複数の貫通孔を設けて、下環では、高さ不一致の複数の凸柱を設けて、その各凸柱は貫通孔に互いに対応して、各管体では貫通孔と凸柱の間に位置して管の巣になる。ゴルフクラブは貫通孔からゴルフバッグの内部に挿入する時、各ゴルフクラブを各独立の管の巣の中に置かせて、互いに干渉しなくて、ゴルフバッグから各ゴルフクラブを取り出すこと及びゴルフバッグへ戻すことは便利で、また、足パッドとしての作用の凸柱を有して、各ゴルフクラブのヘッドを段差になるようにさせて、ゴルフバッグの入口に並べて、衝突を減少し、ゴルフバッグを使用しでも又はゴルフバッグを運搬しでも、ゴルフクラブの保護作用を有し、特に使用する場合、各ゴルフクラブの識別をし易いし、ゴルフバッグから各ゴルフクラブを取り出すこと及びゴルフバッグへ戻すことは非常に便利であることを目的とする。
【００１０】
その外には、上環の各貫通孔の中に、更に弾性の富むC形のクランプ環を設けて、且つそのクランプ環の中央にクランプ孔を有し、各ゴルフクラブをそのクランプ孔の内部に挿入させる時、そのクランプ孔を介して、ゴルフクラブを固定させて、ゴルフクラブが揺れる現象又は回転する現象を回避して、同時にゴルフクラブはゴルフバッグの内部の高低配列の効果に配合して、ゴルフクラブのヘッドを所定の距離に保持させて、衝突することを発生しないことを別の目的とする。
【００１１】
ゴルフクラブは順に層別に及び螺旋状に配列するので、識別し易いし、運動の人員に対して識別し易い及び選別し易いことを別の目的とする。
【考案を実施するための最良の形態】
【００１２】
本考案に関する内容、及び機能について、次の図面を参照して説明する。
【００１３】
本考案の「ゴルフバッグの収納構造」の結構図は、図１、図２を参照して、図１及び図２に示すように、そのゴルフバッグの内部に収納構造を設けて、その収納構造は、上環１０と、下環２０と、複数の支持棚３０と、及び複数の管体４０とからなる。その中に、上環１０は複数の貫通孔１１を設けて、下環２０は複数の凸柱２１を設けて、各凸柱２１は上環１０の貫通孔１１に対応して、その支持棚３０の両端では、それぞれ上環１０及び下環２０の側縁に固定されて、上環１０及び下環２０を適当な距離に保持させて、各管体４０では、それぞれ上環１０及び下環２０の間に設けて、同時に各管体４０は中空状で、管体４０の上端は上環１０の貫通孔１１の下端に対応して、貫通孔１１の中心に位置合わせて、下端は下環２０の凸柱２１の外縁に固定されて、管の巣になる。
【００１４】
同時に図３を参照して、図３に示すように、主に支持棚３０の上、下の両端にそれぞれ上環１０及び下環２０の側壁へ伸ばす挿入フック３１を設けて、上環１０及び下環２０の側壁には、挿入フック３１を挿入するための挿入孔１２、２２を設けて、さらに、挿入フック３１を介して挿入孔１２、２２に挿入することによって、その支持棚３０を上環１０及び下環２０の側壁に固定させて、さらに、その支持棚３０を介して上環１０及び下環２０を適当な距離に保持させて、同時に上環１０の貫通孔１１と下環２０の凸柱２１が同一な軸心に支持させるようになっている。
【００１５】
同時に図４を参照して、図４に示すように、中空状になる各管体４０をそれぞれ上環１０及び下環２０の間に設ける時、各管体４０の上端はそれぞれ貫通孔１１の下端に対応するので、各管体４０の下端はそれぞれ凸柱２１の外縁に固定されて、管の巣になる。そして、各管体４０の内部は各凸柱２１の高低位置の異なることによって、管体４０の内部が高低のレベル差を発生させて、さらに各ゴルフクラブはそれぞれ上環１０の貫通孔１１を貫通して各管体４０からなる管の巣の内部に収納される時、各凸柱２１の高低変化を介して、ゴルフクラブのヘッドは上環１０の外部に突出させる時、高低位置のレベル差を発生して、ゴルフクラブのヘッドは衝突しないように、更にゴルフクラブのヘッドの完備性が保持でき、ゴルフクラブのヘッドは衝突による変形又は損害を発生させるないようになっている。
【００１６】
なお、下環２０の側壁には更に弾性変形を有して、且つ側壁に突出する複数の弾性部材２３を設けている。各弾性部材２３は下環２０の側壁に設けられる。収納構造の結構の全体てはゴルフクバッグの内部に設ける時、各弾性部材２３を介してゴルフクバッグは外へ広くさせて、ゴルフクバッグの内部パットと収納構造の結構を適当な距離に保持させて、ゴルフクバッグが直接に収納構造の結構に圧迫させないように、管体４０の変形になる。
【００１７】
その外には、図１、図２、図５を同時に参照して、図１、図２、図５に示すように、上環１０の各貫通孔１１の中に、更に弾性に富むC形クランプ環５０を設けて、同時に各C形クランプ環５０の中央にクランプ孔５１を設けて、クランプ孔５１でクランプ環５０の外壁への段々開口状のガイド孔５２を設けて、更にゴルフクラブを貫通孔１１を貫通して管体４０の内部に収納される時、クランプ環５０のガイド孔５２によってゴルフクラブの柄をクランプ孔５１の中に固定されて、クランプ孔５１とゴルフクラブの柄と密接されて、そして、クランプ環５０を貫通孔１１の中に押さえ、クランプ環５０を介して、ゴルフクラブの柄を貫通孔１１の中心位置に固定して、ゴルフクラブの柄の活動を制限して、ゴルフクラブの全体は回転すること又は揺れることを発生し難いよううに、さらに歩き又は運搬の過程中、ゴルフクラブのヘッドは衝突を発生しないように、且つ下環２０の凸柱２０と、ゴルフクラブとは上環１０の外部とは高低位置のレベル差を発生させて、二重の保護効果を形成する。
【００１８】
その外には、図６に示すように、図６は本考案の他の一実施例である。保護効果を強化するため、その実施例のうちの管体４０の両端は上環１０及び下環２０に接触しでもよい、上環１０及び下環２０の間のある一又は多数高さ位置のみに置いて、管体４０の外部に固定環６０を設けることによって固定環６０と各保持棚３０は互いにクランプして、管体４０の軸心と貫通孔１１及び凸柱２１を同一な中心に保持させでもよい。ゴルフクラブが貫通孔１１を貫通してから、精確に貫通孔１１と同一中心の管体４０の内部に挿入して、ゴルフクラブの末端を精確に凸柱２１の上に置かせて、ゴルフクラブのヘッドは同時に上環１０の外部に高低位置のレベル差を発生されて、それもゴルフクラブのヘッドとの衝突を発生されないように、同様な効果を達成する。その他、ゴルフクラブは収納構造の中に、順に層別的に及び螺旋状に並べているので、ゴルフクラブを識別し易いし、運動する人員はゴルフクラブを使用する場合、ゴルフバッグからゴルフクラブの取り出すこと又はゴルフバッグへ戻すことはとても便利です。
【産業上の利用可能性】
【００１９】
上記の各名称は本考案を便利に説明するために決められたのが、本考案の実施範囲を制限しなくて、本考案の主張による等価変換、代りの全ても本考案の特許請求の範囲に含めている。
【図面の簡単な説明】
【００２０】
【図１】本考案の組み合わせの模式図である。
【図２】本考案の分解の模式図である。
【図３】本考案の第一側面の断面の模式図である。
【図４】本考案の第二側面の断面の模式図である。
【図５】本考案の平面図である。
【図６】本考案の他の一実施例の模式図である。
【符号の説明】
【００２１】
１0  上環
11  貫通孔
12  挿入孔
20  下環
21  凸柱
22  挿入孔
23  弾性部材
30  支持棚
31  挿入フック
40  管体
50  クランパ環
51  クランパ孔
52  ガイド孔
60  固定環
【図１】
0003119137.tif 000003
【図２】
0003119137.tif 000004
【図３】
0003119137.tif 000005
【図４】
0003119137.tif 000006
【図５】
0003119137.tif 000007
【図６】
0003119137.tif 000008